(57)【特許請求の範囲】
【請求項１】
索部材により車両に荷締めされる建築用パネルのための輸送用養生冶具において、
建築用パネルの被保護部分以外の表面に取着され、該建築用パネルの表面から突設される支持金物と、支持金物に支持され、該建築用パネルの表面から離隔して長手方向に延在される支持バーとを有し、
建築用パネル及び支持バーに巻掛けられる索部材の巻掛経路を該建築用パネルの被保護部分から離隔可能にすることを特徴とする建築用パネルのための輸送用養生冶具。
【請求項２】
複数の前記支持金物を有し、
少なくとも一部の支持金物が支持バーの長手方向に沿って相対移動でき、該支持金物による支持バーの支持位置を変更できる可動支持金物である請求項１に記載の建築用パネルのための輸送用養生冶具。
【請求項３】
複数の前記支持金物を有し、
少なくとも一部の支持金物が、建築用パネルの吊りボルトで該建築用パネルに固定される固定支持金物である請求項１に記載の建築用パネルのための輸送用養生冶具。
【請求項４】
複数の前記支持金物を有し、
一部の支持金物が支持バーの長手方向に沿って相対移動でき、該支持金物による支持バーの支持位置を変更できる可動支持金物であり、
残部の支持金物が、建築用パネルの吊りボルトで該建築用パネルに固定される固定支持金物である請求項１に記載の建築用パネルのための輸送用養生冶具。

【請求項５】
前記建築用パネルが太陽電池を表面に備え、該太陽電池を前記被保護部分としてなる請求項１〜４のいずれかに記載の建築用パネルのための輸送用養生冶具。
【発明の詳細な説明】
【技術分野】
【０００１】
本発明は太陽電池付き屋根パネル等の建築用パネルのための輸送用養生冶具に関する。
【背景技術】
【０００２】
屋根パネル等の建築用パネルを生産工場から建築現場に輸送するとき、特許文献１に記載の如く、ロープ等の索部材により該建築用パネルをトラック等の車両の荷台に緩みなく荷締めしなければならない。
【先行技術文献】
【特許文献】
【０００３】
【特許文献１】特開2010-255257
【発明の概要】
【発明が解決しようとする課題】
【０００４】
しかしながら、建築用パネルが表面に表面材や太陽電池等の被保護部分を有しているときには、該建築用パネルに巻掛けられる緊張状態の索部材がそれらの被保護部分に触れ、該索部材の張力が該被保護部分に及んで該被保護部分を傷つけないことが望まれる。
【０００５】
本発明の課題は、索部材により建築用パネルを車両の荷台に緩みなく荷締めするに際し、該索部材が該建築用パネルの被保護部分を傷つけるおそれを安定的に回避することにある。
【課題を解決するための手段】
【０００６】
請求項１に係る発明は、索部材により車両に荷締めされる建築用パネルのための輸送用養生冶具において、建築用パネルの被保護部分以外の表面に取着され、該建築用パネルの表面から突設される支持金物と、支持金物に支持され、該建築用パネルの表面から離隔して長手方向に延在される支持バーとを有し、建築用パネル及び支持バーに巻掛けられる索部材の巻掛経路を該建築用パネルの被保護部分から離隔可能にするようにしたものである。
【０００７】
請求項２に係る発明は、請求項１に係る発明において更に、複数の前記支持金物を有し、少なくとも一部の支持金物が支持バーの長手方向に沿って相対移動でき、該支持金物による支持バーの支持位置を変更できる可動支持金物であるようにしたものである。
【０００８】
請求項３に係る発明は、請求項１に係る発明において更に、複数の前記支持金物を有し、少なくとも一部の支持金物が、建築用パネルの吊りボルトで該建築用パネルに固定される固定支持金物であるようにしたものである。
【０００９】
請求項４に係る発明は、請求項１に係る発明において更に、複数の前記支持金物を有し、一部の支持金物が支持バーの長手方向に沿って相対移動でき、該支持金物による支持バーの支持位置を変更できる可動支持金物であり、残部の支持金物が、建築用パネルの吊りボルトで該建築用パネルに固定される固定支持金物であるようにしたものである。
請求項５に係る発明は、請求項１〜４のいずれかに係る発明において更に、前記建築用パネルが太陽電池を表面に備え、該太陽電池を前記被保護部分としてなるようにしたものである。
【発明の効果】
【００１０】
（請求項１）
(a)建築用パネルのための輸送用養生冶具が、該建築用パネルの表面から突設される支持金物に支持した支持バーを、該建築用パネルの表面から離隔して延在し、該建築用パネル及び支持バーに巻掛けられる索部材の巻掛経路を該建築用パネルの被保護部分から離隔可能にする。これにより、索部材は建築用パネル及び養生冶具の支持バーに緊張状態で巻掛けられて該建築用パネルを車両の荷台に緩みなく荷締めできる。
【００１１】
(b)索部材は建築用パネル及び養生冶具の支持バーに上述(a)の如くに緊張状態で巻掛けられても、該建築用パネルの被保護部分から離隔せしめられ、該建築用パネルの被保護部分に触れることがないから、該索部材の張力が該被保護部分に及ばず、該被保護部分を傷つけるおそれがない。
【００１２】
(c)養生冶具は建築用パネルの表面に取着され、輸送中落下しないから、索部材が該建築用パネルの被保護部分を傷つけるおそれを上述(b)により安定的に回避する。
【００１３】
（請求項２、４）
(d)養生冶具の支持金物が支持バーの長手方向に沿って相対移動でき、該支持金物による該支持バーの支持位置を変更できる。これにより、建築用パネルの表面における被保護部分の位置に応じて、該建築用パネルの表面に対する支持金物の取着位置を該被保護部分に干渉することのない位置に簡易に設定できる。
【００１４】
（請求項３、４）
(e)養生冶具の支持金物が、建築用パネルの吊りボルトで該建築用パネルに固定される。これにより、支持金物の建築用パネルに対する取着具を吊りボルトで兼用できる。
【００１５】
（請求項５）
(f)建築用パネルが太陽電池を表面に備え、該太陽電池を前記被保護部分とする。これにより、索部材が太陽電池を傷つけるおそれを安定的に回避できる。
【図面の簡単な説明】
【００１６】
【図１】図１は車両の荷台への屋根パネルの荷締め状態を示す模式図である。
【図２】図２は屋根パネルへの養生冶具の取着前状態を示す模式図である。
【図３】図３は屋根パネルへの養生冶具の取着状態を示す模式図である。
【図４】図４は固定支持金物を示す斜視図である。
【図５】図５は可動支持金物を示す斜視図である。
【発明を実施するための形態】
【００１７】
本発明が適用される建築用パネルの一例である屋根パネル１Ａは屋根ユニット１の一部であり、屋根ユニット１は図１に示す如く、トラック等の車両の荷台１００に搭載され、ロープ、綱、縄、ワイヤ等の索部材２００により後述する如くに緩みなく荷締めされた荷姿で、生産工場から建築現場に輸送される。
【００１８】
屋根ユニット１は、図１〜図３に示す如く、屋根パネル１Ａと、屋根パネル１Ａの裏面の反軒先側の桁方向に固定される桁トラス１Ｂと、屋根パネル１Ａの裏面側の妻方向に固定される三角形状の妻小壁１Ｃとから構成される。屋根ユニット１は、概ね三角形状の小屋組を形成し、屋根パネル１Ａの軒先Ｆを妻小壁１Ｃの軒側端より外方に突出する。屋根ユニット１は、屋根パネル１Ａの表面の軒先側に太陽電池２を固定して備え、この太陽電池２を索部材２００による傷つきに対する被保護部分Ｇとする。
【００１９】
以下、索部材２００が屋根ユニット１の被保護部分Ｇたる太陽電池２を傷つけるおそれを安定的に回避するための輸送用養生冶具１０について説明する。
【００２０】
養生冶具１０は、図２、図３に示す如く、２個の支持金物２０及び複数個の支持金物３０と支持バー４０とを有して構成される。支持金物２０、３０は、屋根ユニット１の屋根パネル１Ａの表面の太陽電池２より軒先側の先端に取着され、該屋根ユニット１の屋根パネル１Ａから上方に突設される突設部２０Ａ、３０Ａを備える。支持バー４０は、支持金物２０、３０の突設部２０Ａ、３０Ａに支持され、屋根ユニット１の屋根パネル１Ａの表面から上方に離隔し、該屋根ユニット１の屋根パネル１Ａの表面の太陽電池２より軒先側の先端に沿って延在される。
【００２１】
ここで、支持金物２０は、支持バー４０の長手方向の両端が固定される固定支持金物である。固定支持金物２０は、図４に示す如く、屋根ユニット１の屋根パネル１Ａの軒先側の先端表面と先端端面に添設されるＬ字板２１を有する。Ｌ字板２１は屋根ユニット１の屋根パネル１Ａの軒先側の先端表面であって太陽電池２に対する桁方向の側傍に添設される長尺の底板部２１Ａと、屋根ユニット１の屋根パネル１Ａの軒先側の先端端面に添設される垂下板部２１Ｂを備える。底板部２１Ａは屋根ユニット１の屋根パネル１Ａに対する取付スリット２１Ｓを備え、取付スリット２１Ｓに挿通される吊りボルト５１で屋根ユニット１の屋根パネル１Ａに固定される。垂下板部２１Ｂは、屋根ユニット１の屋根パネル１Ａの軒先側の先端端面に対する取付孔２１Ｈを備え、木ねじ５２で屋根ユニット１の屋根パネル１Ａに固定される。また、固定支持金物２０は、図４に示す如く、Ｌ字板２１の底板部２１Ａの両側長辺に溶接されて底板部２１Ａから上方に突設される概ね三角形状の２枚の立上り板２２を有する。立上り板２２は最上端に設けた切欠部を前述の突設部２０Ａとし、支持バー４０の長手方向の両端をこの突設部２０Ａに溶接して固定される。
【００２２】
また、支持金物３０は、支持バー４０の長手方向に沿って相対移動でき、該支持金物３０による支持バー４０の支持位置を変更できる可動支持金物である。可動支持金物３０は、図５に示す如く、屋根ユニット１の屋根パネル１Ａの軒先側の先端表面と先端端面に添設されるＬ字板３１を有する。Ｌ字板３１は屋根ユニット１の屋根パネル１Ａの軒先側の先端表面であって、太陽電池２に対する妻方向の側傍に添設され得る短尺の底板部３１Ａと、屋根ユニット１の屋根パネル１Ａの軒先側の先端端面に添設される垂下板部３１Ｂとを備える。垂下板部３１Ｂは屋根ユニット１の屋根パネル１Ａの軒先側の先端端面に対する取付孔３１Ｈを備え、木ねじ５３で屋根ユニット１の屋根パネル１Ａに固定される。また、可動支持金物３０は、図５に示す如く、Ｌ字板３１の底板部３１Ａの両側短辺と片側長辺に溶接されて底板部３１Ａから上方に突設されるＵ字状の立上り板３２と、立上り板３２の上端面に溶接される円筒管３３を有する。円筒管３３は中空部を前述の突設部３０Ａとし、支持バー４０の中間部をこの突設部３０Ａに相対移動可能に挿通し、この突設部３０Ａによる支持バー４０の支持位置を変更できる。
【００２３】
従って、屋根ユニット１は養生冶具１０を取着された状態で、索部材２００により以下の手順で車両の荷台１００に荷締めされる。
【００２４】
(1)養生冶具１０の支持金物２０、３０を図２、図３の示す如く、屋根ユニット１の屋根パネル１Ａの表面の太陽電池２より軒先側の先端に取着する。図２、図３は、２個の養生冶具１０を採用した例を示している。
【００２５】
固定支持金物２０は、屋根ユニット１の屋根パネル１Ａの軒先側の先端表面であって太陽電池２に対する桁方向の側傍に底板部２１Ａを添設し、底板部２１Ａの取付スリット２１Ｓに挿通した吊りボルト５１を屋根ユニット１の屋根パネル１Ａに穿設してある取付孔に通し、該屋根パネル１Ａの裏面に設けてあるナットに螺着することにより、該屋根パネル１Ａに固定される。
【００２６】
また、固定支持金物２０は、屋根ユニット１の屋根パネル１Ａの軒先側の先端端面に垂下板部２１Ｂを添設し、垂下板部２１Ｂの取付孔２１Ｈに挿通した木ねじ５２により該屋根パネル１Ａに固定される。
【００２７】
可動支持金物３０は、屋根ユニット１の屋根パネル１Ａの軒先側の先端表面であって、太陽電池２に対する妻方向の側傍、又は太陽電池２に対する桁方向の側傍に底板部３１Ａを添設する。このとき、屋根ユニット１の屋根パネル１Ａの軒先側の先端表面であって、太陽電池２に対する妻方向の側傍に添設される底板部３１Ａは、図３（Ｂ）に示す如く、太陽電池２を屋根ユニット１の屋根パネル１Ａに固定する固定金物６１や雪止め金物から一定長以上離隔配置される。
【００２８】
また、可動支持金物３０は、屋根ユニット１の屋根パネル１Ａの軒先側の先端端面に垂下板部３１Ｂを添設し、垂下板部３１Ｂの取付孔３１Ｈに挿通した木ねじ５３により該屋根パネル１Ａに固定される。
【００２９】
(2)上述(1)の如くに養生冶具１０が取着された屋根ユニット１に設けた前述の吊りボルト５１を用いて、図１に示す如く、該屋根ユニット１を建物への据付姿勢に対して90度起立させたものを車両の荷台１００上における輸送姿勢として、該荷台１００の上に吊り降ろす。この輸送姿勢では、屋根ユニット１の桁トラス１Ｂが荷台１００の上に載置され、屋根ユニット１の軒先Ｆが上方に向くものになる。
【００３０】
(3)屋根ユニット１の屋根パネル１Ａが軒先Ｆ、及び該屋根パネル１Ａの軒先側に取着された養生冶具１０の支持バー４０まわりに索部材２００を緊張状態にて巻掛け、索部材２００の両端を車両の荷台１００に緊結する。図１において、２０１は屋根パネルの屋根パネル１Ａと索部材２００との間に介在させた当て板である。
【００３１】
本実施例によれば以下の作用効果を奏する。
(a)屋根ユニット１のための輸送用養生冶具１０が、該屋根ユニット１の屋根パネル１Ａの表面から突設される支持金物２０、３０に支持した支持バー４０を、該屋根パネル１Ａの表面から離隔して延在し、該屋根パネル１Ａ及び支持バー４０に巻掛けられる索部材２００の巻掛経路を該屋根パネル１Ａの被保護部分Ｇから離隔可能にする。これにより、索部材２００は屋根ユニット１の屋根パネル１Ａ及び養生冶具１０の支持バー４０に緊張状態で巻掛けられて該屋根ユニット１を車両の荷台１００に緩みなく荷締めできる。
【００３２】
(b)索部材２００は屋根ユニット１の屋根パネル１Ａ及び養生冶具１０の支持バー４０に上述(a)の如くに緊張状態で巻掛けられても、該屋根パネル１Ａの被保護部分Ｇから離隔せしめられ、該屋根パネル１Ａの被保護部分Ｇに触れることがないから、該索部材２００の張力が該被保護部分Ｇに及ばず、該被保護部分Ｇを傷つけるおそれがない。
【００３３】
(c)養生冶具１０は屋根ユニット１の屋根パネル１Ａの表面に取着され、輸送中落下しないから、索部材２００が該屋根パネル１Ａの被保護部分Ｇを傷つけるおそれを上述(b)により安定的に回避する。
【００３４】
(d)養生冶具１０の可動支持金物３０が支持バー４０の長手方向に沿って相対移動でき、該可動支持金物３０による該支持バー４０の支持位置を変更できる。これにより、屋根ユニット１の屋根パネル１Ａの表面における被保護部分Ｇの位置に応じて、該屋根パネル１Ａの表面に対する可動支持金物３０の取着位置を該被保護部分Ｇに干渉することのない位置に簡易に設定できる。
【００３５】
(e)養生冶具１０の固定支持金物２０が、屋根ユニット１の吊りボルト５１で該屋根ユニット１の屋根パネル１Ａに固定される。これにより、固定支持金物２０の屋根パネル１Ａに対する取着具を吊りボルト５１で兼用できる。
【００３６】
(f)屋根ユニット１の屋根パネル１Ａが太陽電池２を表面に備え、該太陽電池２を前記被保護部分Ｇとする。これにより、索部材２００が太陽電池２を傷つけるおそれを安定的に回避できる。
【００３７】
以上、本発明の実施例を図面により詳述したが、本発明の具体的な構成はこの実施例に限られるものではなく、本発明の要旨を逸脱しない範囲の設計の変更等があっても本発明に含まれる。例えば、本発明の建築用パネルのための輸送用養生治具は屋根パネル単体にも適用できる。また、本発明が適用される建築用パネルは屋根パネルに限定されない。また、本発明における建築用パネルの被保護部分は太陽電池２に限定されず、建築用パネルに設けられる他の付帯設備、又は建築用パネルの表面材等であっても良い。
【産業上の利用可能性】
【００３８】
本発明は、索部材により車両に荷締めされる建築用パネルのための輸送用養生冶具において、建築用パネルの表面に取着され、該建築用パネルの表面から突設される支持金物と、支持金物に支持され、該建築用パネルの表面から離隔して延在される支持バーとを有し、建築用パネル及び支持バーに巻掛けられる索部材の巻掛経路を該建築用パネルの被保護部分から離隔可能にした。これにより、索部材により建築用パネルを車両の荷台に緩みなく荷締めするに際し、該索部材が該建築用パネルの被保護部分を傷つけるおそれを安定的に回避することができる。
【符号の説明】
【００３９】
１Ａ  屋根パネル（建築用パネル）
２  太陽電池（被保護部分Ｇ）
１０  養生冶具
２０  固定支持金物
３０  可動支持金物
４０  支持バー
１００  荷台
２００  索部材
【図１】
0005836140.tif 000002
【図２】
0005836140.tif 000003
【図３】
0005836140.tif 000004
【図４】
0005836140.tif 000005
【図５】
0005836140.tif 000006